(57)【要約】【課題】  衣服に花粉が付着するのを簡単かつ的確に防止することができる花粉付着防止スプレーを提供すること。【解決手段】  花粉付着防止成分の濃度が１〜５０％の水分散液を主成分とし、残部を噴射剤としたスプレーとする。花粉付着防止成分としては、ポリシロキサン誘導体および／またはアミノ酸誘導体を用いることができる。また水分散液は、イオン交換水を用いて希釈したものとすることが好ましい。【選択図】      図１
2005179837.tif 000002
【特許請求の範囲】
【請求項１】
花粉付着防止成分の濃度が１〜５０％の水分散液を主成分とし、残部を噴射剤としたことを特徴とする花粉付着防止スプレー。
【請求項２】
花粉付着防止成分が、ポリシロキサン誘導体および／またはアミノ酸誘導体である請求項１に記載の花粉付着防止スプレー。
【請求項３】
水分散液は、イオン交換水を用いて希釈したものである請求項１または２に記載の花粉付着防止スプレー。
【請求項４】
芳香剤、消臭剤、抗菌剤の１種または２種以上を添加した請求項１または２または３に記載の花粉付着防止スプレー。
【発明の詳細な説明】
【技術分野】
【０００１】
本発明は、衣服に花粉が付着するのを簡単かつ的確に防止することができる花粉付着防止スプレーに関するものである。
【背景技術】
【０００２】
花粉症は、スギ花粉やヒノキ、ブタクサ、イネ等の多くの花粉がアレルゲンとなって発病し、最近ではスギ花粉が飛散する２〜４月頃だけでなく一年中発病する傾向にあり、患者の数は増加の傾向にあるが、その治療法はまだ確立されていないのが現状である。そこで、花粉症患者は外出時に目、鼻、口に花粉がなるべく触れないようにマスクや眼鏡、ゴーグル、帽子などで防御している。しかし、外出後に屋内に入ると、屋外で衣服に付着した花粉を持ち込むことになり、これが原因で発病するという問題点があった。
【０００３】
そこで、特許文献１に示されるように、花粉付着防止織物が開発され、衣服への花粉の付着を防止して屋内への花粉の持ち込みを回避するようにしたものが提案されている。しかしながら、家にある全ての衣服をこのような花粉付着防止織物からなるものとすることは費用がかかるだけでなく現実には不可能であり、また従来の衣服が使用できなくなる等の不都合が生じるという問題点があった。従って、従来の衣服の衣服も含め全ての衣服に対して花粉が付着するのを簡単に防止することができる新たな処理方法の開発が要求されていた。
【特許文献１】特開平２００３−２１３５４１号公報
【発明の開示】
【発明が解決しようとする課題】
【０００４】
本発明は上記のような従来の問題点を解決して、全ての衣服に対して花粉が付着するのを簡単かつ的確に防止することができる花粉付着防止スプレーを提供することを目的として完成されたものである。
【課題を解決するための手段】
【０００５】
上記の課題を解決するためになされた本発明の花粉付着防止スプレーは、花粉付着防止成分の濃度が１〜５０％の水分散液を主成分とし、残部を噴射剤としたことを特徴とするものである。
【発明の効果】
【０００６】
本発明の花粉付着防止スプレーは、花粉付着防止成分の濃度が１〜５０％の水分散液を主成分とし、残部を噴射剤としたものであり、スプレー処理した布材表面が前記花粉付着防止成分の緻密な粒子がビッシリと並んで薄膜状の状態で覆われることとなり、衣服表面への花粉の付着が的確に防止されることとなる。
【発明を実施するための最良の形態】
【０００７】
以下に、本発明の好ましい形態を示す。
本発明は、花粉付着防止成分の濃度が１〜５０％の水分散液を主成分とし、残部を噴射剤とした点に特徴を有する花粉付着防止スプレーである。即ち、本発明者は特許文献１に記載されたような花粉付着防止織物にかわり、従来ある衣服にも簡単かつ手軽に花粉の付着を防止することができる方法について研究を行い、スプレー処理によりそれを実現するに至ったのである。
【０００８】
本発明に係るスプレーの主成分は、花粉付着防止成分が花粉付着防止成分の濃度が１〜５０％の水分散液である。ここでいう花粉付着防止成分としては、ポリシロキサン誘導体および／またはアミノ酸誘導体である。濃度を１〜５０％としたのは、１％未満では大量にスプレー処理しないと十分な花粉付着防止効果が得られず効率が悪くなり、また５０％より多いと過剰品質で生産コストが高くなるので１〜５０％の範囲が好ましい。より好ましくは３〜１０％の範囲である。
【０００９】
また水分散液は、イオン交換水を用いて希釈したものであることが好ましい。これにより、後述するように、衣服表面に花粉付着防止成分の緻密な粒子がビッシリと並んだ薄膜状態を実現することができ、衣服表面への花粉の付着をより的確に防止できることとなる。
【００１０】
残部の噴射剤としては、ジメチルエーテル（ＤＭＥ）や液化石油ガス（ＬＰＧ）などの液化ガスおよび窒素、炭酸ガス、酸化窒素ガスなどの圧縮ガスが用いられ、これらの噴射剤から１種または２種以上を選択して用いることができる。
【００１１】
前記主成分は、全体の５０〜９５重量％の割合で充填し、残部を噴射剤とする。噴射剤が５重量％未満では花粉付着防止成分を最後まで噴射し切れないおそれがあるとともに噴霧特性も良好でなく、一方、５０重量％より多いと溶解度の兼ね合いから主成分の水分散液と分離してしまうおそれがあるからである。好ましくは主成分は、全体の６０〜８５重量％の割合で充填するのがよい。
【００１２】
また、本発明の花粉付着防止スプレーには、例えば芳香剤、消臭剤、抗菌剤等の添加剤を１種または２種以上添加して用いることもできる。
【００１３】
このように構成した本発明の花粉付着防止スプレーを用いて布材表面をスプレー処理すると、図１に示されるように、布材１の表面は花粉付着防止成分２の緻密な粒子がビッシリと並んで薄膜状の状態で覆われることとなる。この花粉付着防止成分２の薄膜はマクロ的にはプレーンであり、ミクロ的にはナノレベルで微小な凹凸状態にある。従って、花粉３は前記薄膜上に付着しにくくなり、また付着したとしても手で軽く叩く程度ですぐに脱落してしまうこととなり、衣服表面への花粉の付着が的確に防止されることとなる。
【実施例】
【００１４】
ポリシロキサン誘導体（大原パラヂウム（株）製の商品名「パラファインＤＰ」）の濃度が５％の水分散液：７０重量％、ジメチルエーテル（ＤＭＥ）：３０重量％からなるスプレー（正味量：１５０ｍｌ）を作成し、このスプレーで処理した布地とスプレー処理しない布地の花粉の減少率を下記の式により算出して調べた。
減少率（％）＝（払い落とし処理前の花粉数−払い落とし処理後の花粉数）
／（払い落とし処理前の花粉数）×１００
払い落とし処理は軽く手で払う程度の振動を与えるものであり、払い落とし処理前の花粉数は布地に均一に花粉を付着させた状態である。この払い落とし処理前後の花粉数をマイクロスコープ（１５０倍）により撮影し、それぞれの花粉の個数をカウントして、前記式から減少率（％）を算出した。
結果は［表１］に示されるとおり、本発明のスプレー処理を行ったものは花粉の減少率が大きく花粉付着防止効果が確認できた。
【００１５】
【表１】
2005179837.tif 000003
【００１６】
同様にして、表２に示す布地についても花粉の減少率を測定するとともに、「ＪＩＳ  Ｌ−０２１７  １０３法（つり干し）」に基づく洗濯条件で洗濯した後の花粉の減少率を測定した。
結果は［表２］に示されるとおり、本発明のスプレー処理を行ったものは花粉の減少率が大きく花粉付着防止効果が確認できるとともに、洗濯後においても優れた花粉付着防止効果を発揮することが確認できた。
【００１７】
【表２】
2005179837.tif 000004
【００１８】
前記のスプレーにより綿スムースニットをスプレー処理し、以下の条件で加工した生地を用いてパッチテストを実施した。
［加工方法］  パディング処理
絞り率：８０％、乾燥：１１０℃×３分
［パッチテスト］  河合式貼布試験判定法
社内の５名を判定者としてパッチテストを行い、２４時間経過後に肉眼判定した。結果は、全員に河合式貼布試験判定法の（Ｄ）刺激の症状は見られず、本発明のスプレーが皮膚障害を発生させないことが確認できた。
【図面の簡単な説明】
【００１９】
【図１】本発明の花粉付着防止の原理を示す説明図である。
【符号の説明】
【００２０】
１  衣服
２  花粉付着防止成分
３  花粉
【図１】
2005179837.tif 000005